(57)【要約】【課題】  従来の固定堰は、せきあげ現象を発生し堤防を決壊させる恐れがある、そのせきあげ現象を低下させ堤防の安全を計る方法。【解決手段】  従来の固定堰の高さを低め、その固定堰の上に可動堰を置き、不足した高さを補足する。【選択図】  図１
2005207207.tif 000002
【特許請求の範囲】
【請求項１】
固定堰の上に可動堰を設けてなることを特徴とする異種堰を重合した堰。
【発明の詳細な説明】
【技術分野】
【０００１】  本発明は、河川水路に配設されて水位調節、防潮等に用いられる堰であって、固定方式と可動方式の両方式堰を重ねて、一体化した方式堰に関するものである。
【背景技術】
【０００２】  従来より河川水路に配設して開閉自在に設けられた開閉堰として、吊りゲート堰、転倒堰、膨脹堰、起伏堰等、多種多様な堰が公知公用の技術として、広く一般化され普及して居り、これ等に付帯する技術として土砂侵入防止或いは魚道を設けたものがある。
また堰を開閉させる駆動源としては、油圧式、電動式、空気式、自然流水式等があり、小河川の小型開閉堰なれば手動方式のものが一般的である、無開閉の固定堰は簡単で建設も容易であるため昔より現代に至るも多用されている。
固定堰と可動堰を重合して、一つの堰としたものは、今までに存在していない。
【特許文献】  該当する文献は見当たらない。
【非特許文献】  該当する文献は見当たらない。
【発明の開示】
【発明が解決しようとする課題】
【０００３】  現今は河川に堰を建設する場合において、その周辺の自然環境を守ることが重大な要素になっている、そのため周囲の景観を害するような形態の堰は住民の反対を受け建設が困難な時代になって居り、形態の豪壮な吊りゲート式が、この不適な堰とされて居る。
また堰の建設費、保守維持管理費等も低減を強く要求されて居り、これ等の要求に応え得る堰の開発が要望されている。
河川水路において流れを円滑、平穏にする事は常識であり原則であるが、この事が守れていない堰が多い、そのため豪雨による増水時に堰により水流が隆起し、せきあげと言う現象を発生させ、それによって河川の堤防が決壊し大きな災害を与えている。
せきあげ現象を零にすれば理想であるが、そのために巨大な設備の堰となれば、このために色々な別の問題が発生し住民の賛同が得られない。
せきあげ現象を過大に考えず堤防の安全面から考察して、ある程度の、せきあげを認めれば実施の容易な良い堰ができる。
【課題を解決するための手段】
【０００４】  本発明は上記問題点を解決するためになされたものであって、高さを低くした固定堰の上に、高さを低くした可動堰を置き、二つの堰の合計にて要望の高さにする。
上部の可動堰は、どのような方式のものを利用しても良いが、開いた状態時に、流水の抵抗が、なるべく無い構造のものが好ましい、ゲート吊り上げ方式のものは、高額であり堰柱の流水抵抗が大きいので好適と言えない、起伏式、膨脹式等の堰が、簡単で低額であり、開放時に流水抵抗が僅少であり好適である。
固定堰は、建設が容易であり、維持管理、保守等が低額であり極めて好適な堰であるが増水時において流水の大きな抵抗になり、せきあげ現象を発生させ、堤防決壊の原因ともなる、このせきあげ現象を半減できれば、堤防は安泰になる、せきあげを皆無にする必要はない、皆無を要求するのは、無駄な不必要な行き過ぎた要求である。
異常時の増水は、わが国では台風時であって平常時には殆ど発生しない、この増水が、高さを、低めた固定堰の上に可動堰を設けて、異常増水時に上部の可動堰を全開すれば下部の固定堰のみが流水抵抗になり、従来の高い固定堰に比較して流水抵抗は大幅は減少しする、そのため増水水位、せきあげ共に低下し、堤防の危険水位から、水位を大幅に低める事ができる。
【発明の効果】
【０００５】  以上のように本発明は高さの低い固定堰と、同じく高さの低い可動堰を重合して一つの堰としたるものなるため、下部の固定堰は低い形態のため建設が容易であり当然建設費が安くなる。
上部の可動堰も高さの低いものであるため、これも製作が容易であり当然格安に製作できる利点がある、そして高さの低い可動堰は開閉に必要な駆動力、駆動機構も小馬力、小型になり、価格を安価にすることができ、且つ保守、管理も簡単に出来その費用を低額にできる。【０００６】  従来の固定堰は構造が簡単なるため安く建設できるが、せきあげと言う致命的な欠陥を有しており、そのため住民に不安を与え賛同が得られない堰である、本発明は低い固定堰を使用するため、せきあげ現象を大幅に減少させる事ができ堤防決壊の不安を解消することができる。
下部の固定堰は上部の可動堰を取り付ける基礎を兼ねて居る、そのため可動堰部の基礎を作る必要がなく、建設費を低下させることができる。
【発明を実施するための最良の形態】
【０００７】  本発明は固定堰の上に可動堰を重ねて、一つの堰として作動させるものである。
【実施例１】
【０００８】  図１は、本発明の異種堰を重合した堰の側面の断面図であって、図面に基づいて詳細に説明をする、１は河川の河床であって、一般的には川底の名称で呼ばれて居る、２は河床１に設置された固定堰にして、従来の通常の固定堰に比較して高さを低くして居る、その高さの決定は、設置場所の状況及び目的により最適の高さが検討され決定されるが、従来の固定堰の三分の一乃至二分の一程度の範囲の高さが好適になるであろう。【０００９】  通常の固定堰は所定の高さが必要であるが、本発明の固定堰２は上記したように高さが低く作られている、その高さ不足を補足するため固定堰２の上に可動堰を設置して所定の高さになるようになされている、この可動堰としては、ゴム膨脹式、起伏式、ゲート吊り上げ式等どのような方式のものにても可能であるが、一例としてフロート浮沈式の可動堰を使用した場合について説明する、３は堰板を兼ねたフロートであって内部は空洞のタンク状に作られている、５は軸受である、４は軸受５とフロート３を結合する連結部である。
フロート３の中に川水を出し入れすることにによりフロート３は、軸受５を支点として浮かび、また沈む即ち開閉作動をする。【００１０】  台風、豪雨等により河川が異常に増水した場合は、堤防を安全にする事が肝要である、そのためには、増水した川水をスムーズに流す必要がある、従来の固定堰は簡単な構造であるため建設費、維持費が安価な利点を有しているが、増水時において流水の大きな障害物となり、流れを阻止する、そのため、せきあげと言う現象を発生させ水位が異常に上昇する、このため堤防が危険になり、決壊に至る場合もある。
可動堰は開放すると、水流はスムーズに流れるが、建設費、維持費が高く問題がある、そこで固定堰の高さを低くして、増水時の水位を低めれば、堤防の危険は解消される。【００１１】  本発明は異常増水時にフロート３に川水を入れる事によりフロート３を沈下させる、７はフロート３が沈下した場合の状態を示す下降表示である。
フロート３の内部に川を出し入れする時は、増水中であるため、フロート３は水中にあり、そのため川水を入れるのは、無動力にて容易に入れる事ができる、その川水を排出するには、ポンプにて容易にできる、この川水の出し入れについての方法説明は省略する。
また図１の図面には土砂侵入防止、漏水防止等のパッキン類、フロート３の位置保持ストッパー等の記載がされていないが、不要な部品でなく記載を省略したものである。【００１２】  図２は、本発明の異種堰を重合した堰の平常時の使用状態図であって、１は河床、２は固定堰、３はフロートである、８は上流側水位にして、平常時は大体この水位であるが、雨天が続き、強い雨が降るとフロート３を越えて下流側に流れる、９は下流側水位である、堰が海から近距離の場合は、塩水防止の潮止め堰となる、また上流側水位８を高くしているのは、水を他川に分水するための取水堰として使用されるためである。【００１３】  図３は、本発明の異種堰を重合した堰が、大増水に遭遇した場合の状態図である、１は河床、２は固定堰、３はフロート、１０は台風又は豪雨の場合の増水時水流である。
異常時に河川の中に大きな阻害物たる堰が存在すると、水流は流れを阻止され水位が上昇する、これを、せきあげと言う、図３は、このせきあげの状態を示したものである。
せきあげは、河川堤防を決壊させる恐れがある、そのため極力せきあげを発生させない堰が望ましい事になる、可動堰は全開すれば、せきあげは、全く無く安全な堰と言えるが建設費、保守維持管理費、景観、環境等の問題で、現今では実施が困難な堰とされている
そこで、せきあげを全面的に解消するのでなく、堤防が安全な範囲において、ある程度許容する、そうする事により、困難な色々な問題が全て解決できる。
大増水時には、フロート３に水を入れて沈めると、フロート３は固定堰２の中に完全に収納され、固定堰２のみが存在する事になる、これは阻害物が存在している事になるが、従来の固定堰に比べ高さが、低くなっているため、水位が大幅に下がり堤防に与える脅威は、解消される、異常天候が治まり、河川の水量が減少すれば、フロート３内の水を排出して浮上させ、平常時の状態に復帰させる。
本発明は、こりような実施例に何等限定されるものでなく本発明の要旨を逸脱しない範囲において種々なる態様で実施し得るは勿論である。
【図面の簡単な説明】
【００１４】
【図１】本発明の異種堰を重合した堰の側面の断面図である。
【図２】本発明の異種堰を重合した堰の平常時の使用状態図である。
【図３】本発明の異種堰を重合した堰が大増水に遭遇した場合の状態図である。
【符号の説明】
１  河床
２  固定堰
３  フロート
４  連結部
５  軸受
６  収納室
７  下降表示
８  上流側水位
９  下流側水位
１０  増水時水流
【図１】
2005207207.tif 000003
【図２】
2005207207.tif 000004
【図３】
2005207207.tif 000005